(57)【要約】【課題】保守作業員がピットの空間へ身を乗り出すことなく、安全にピット梯子を設置することができるようにすることである。【解決手段】  最下階１２の乗場敷居１６の下側に上端部が吊り下げられるピット梯子３４と、ピット梯子３４の上端部を傾斜支点として、ピット梯子３４を吊り下げ状態から踏段角度に傾斜させる梯子傾斜部３６と、梯子傾斜部３６を操作する操作部４２とを備える。梯子傾斜部３６は、一端部を操作部４２として、他端部がピット梯子の下端部に取り付けられる操作ワイヤ４０を含み、操作ワイヤ４０の操作部４２は、乗場敷居１６の敷居溝２４の底面からピット１８に向かって設けられる異物排除孔３８より操作治具１０２を挿入して操作可能な位置に上下移動可能に保持される。【選択図】図１
2014034431.tif 000002
【特許請求の範囲】
【請求項１】
エレベータの保守作業のときに用いられるピット梯子装置であって、
ピットに張り出している乗場敷居の下側に上端部が吊り下げられるピット梯子と、
傾斜支点を上端部に有するピット梯子を吊り下げ姿勢から踏段角度に傾斜させる梯子傾斜部と、
梯子傾斜部を操作する操作部と、
を備えることを特徴とするピット梯子装置。
【請求項２】
請求項１に記載のピット梯子装置において、
梯子傾斜部は、
一端部を操作部として、他端部がピット梯子の下端部に取り付けられる操作ワイヤを含むことを特徴とするピット梯子装置。
【請求項３】
請求項２に記載のピット梯子装置において、
操作部は、
乗場敷居の敷居溝の底面からピットに向かって設けられる異物排除孔より所定の操作治具を挿入して操作可能な位置に上下移動可能に保持されることを特徴とするピット梯子装置。
【請求項４】
請求項３に記載のピット梯子装置において、
上下方向に移動する操作部を保持する保持部を備え、
保持部は、
ピット梯子が吊り下げ姿勢に維持されるときを下げ位置として操作部を保持する第一保持部と、
ピット梯子が踏段角度に傾斜した踏段傾斜姿勢に維持されるときを上げ位置として操作部を保持する第二保持部と、
を有することを特徴とするピット梯子装置。
【請求項５】
請求項３または４に記載のピット梯子装置において、
操作部は、
ピット梯子の位置に対し、ピット梯子が踏段角度に傾斜する側と反対側となる乗場敷居の下方の位置に保持され、
操作部と操作ワイヤの他端部との間に操作ワイヤの引張方向を反転させる案内車が設けられることを特徴とするピット梯子装置。
【請求項６】
請求項１に記載のピット梯子装置において、
ピット梯子は、
上端部が乗場敷居に対し上下方向に移動可能であることを特徴とするピット梯子装置。
【請求項７】
請求項６に記載のピット梯子装置において、
ピット梯子の姿勢を固定状態にする梯子姿勢固定部を備え、
梯子姿勢固定部は、
ピット梯子を吊り下げ姿勢で固定する第一固定部と、
ピット梯子が踏段角度に傾斜するときに、ピット梯子の上端部が下方に移動してピット梯子の下端部がピットの床面に着く踏段傾斜姿勢で固定する第二固定部と、
を有することを特徴とするピット梯子装置。
【請求項８】
請求項７に記載のピット梯子装置において、
ピット梯子の位置に対し、ピット梯子が踏段角度に傾斜する側と反対側となる位置にストッパが設けられることを特徴とするピット梯子装置。
【請求項９】
請求項１から８のいずれか１に記載のピット梯子装置において、
乗場敷居の側面に複数枚配置され、少なくとも一枚はピット梯子の傾斜を妨げないようにスライド可能なトーガードを備えることを特徴とするピット梯子装置。
【発明の詳細な説明】
【技術分野】
【０００１】
本発明は、エレベータのピットに張り出している乗場階の乗場敷居からピットに保守作業員が降りるときに用いられるエレベータのピット梯子装置に関する。
【背景技術】
【０００２】
従来のエレベータでは、保守作業員が用いるピット梯子がピットに設置されることがある。特許文献１には、ピット梯子が第一のピットタラップ部と第二のピットタラップ部とに分かれており、第二のピットタラップ部の一端がピット床面に対して回転自在に取り付けられる構造のピット梯子が開示されている。不使用時には第一のピットタラップ部と第二のピットタラップ部との間である中央部を折りたたんだ状態でピット床面に収納し、使用時には第一のピットタラップ部と第二のピットタラップ部とを直線状に拡張して乗場敷居とピット床面との間に斜めに立掛けられることが述べられている。
【０００３】
特許文献２には、ピット梯子の中央部分に突起状の締め部材を有するピット梯子が開示されている。不使用時には締め部材とピットに設けられる収納部の腕部材を用いてピット壁面に立掛けて収納し、使用時には締め部材に取り付けられる係止部材を敷居溝に挿入することで乗場敷居とピット床面との間に斜めに立掛けられることが述べられている。
【０００４】
特許文献３には、上梯子と下梯子とからなる二連式ピット梯子の下端がピット床面に対してスライド可能に取り付けられる構造のピット梯子が開示されている。不使用時には上梯子と下梯子とを平行に重ねて乗場敷居の近傍に収納し、使用時には上梯子の上端に取り付けられたチェーンを引き上げて下梯子から上梯子を伸長させ、下梯子の下端がスライドし乗場敷居とピット床面との間に斜めに立掛けられることが述べられている。
【先行技術文献】
【特許文献】
【０００５】
【特許文献１】特開２００２−１７３２７６号公報
【特許文献２】特開２００８−２０１４９５号公報
【特許文献３】特開２０１０−２０２３５０号公報
【発明の概要】
【発明が解決しようとする課題】
【０００６】
従来のピット梯子では、ピット梯子を収納状態から設置状態とする場合に、保守作業員が乗場敷居からピットの空間へ身を乗り出して設置作業をする。ピット梯子は鉄製のものが多く重量があるため、安全に留意しながらの設置作業は保守作業員の労力を要する。
【０００７】
本発明の目的は、エレベータの保守作業員が安全にピット梯子を設置できるピット梯子装置を提供することである。
【課題を解決するための手段】
【０００８】
本発明に係るピット梯子装置は、ピットに張り出している乗場敷居の下側に上端部が吊り下げられるピット梯子と、傾斜支点を上端部に有するピット梯子を吊り下げ姿勢から踏段角度に傾斜させる梯子傾斜部と、梯子傾斜部を操作する操作部とを備えることを特徴とする。
【０００９】
また、本発明に係るピット梯子装置において、梯子傾斜部は、一端部を操作部として、他端部がピット梯子の下端部に取り付けられる操作ワイヤを含むことが好ましい。
【００１０】
また、本発明に係るピット梯子装置において、操作部は、乗場敷居の敷居溝の底面からピットに向かって設けられる異物排除孔より所定の操作治具を挿入して操作可能な位置に上下移動可能に保持されることが好ましい。
【００１１】
また、本発明に係るピット梯子装置において、上下方向に移動する操作部を保持する保持部を備え、保持部は、ピット梯子が吊り下げ姿勢に維持されるときを下げ位置として操作部を保持する第一保持部と、ピット梯子が踏段角度に傾斜した踏段傾斜姿勢に維持されるときを上げ位置として操作部を保持する第二保持部とを有することが好ましい。
【００１２】
また、本発明に係るピット梯子装置において、操作部は、ピット梯子の位置に対し、ピット梯子が踏段角度に傾斜する側と反対側となる乗場敷居の下方の位置に保持され、操作部と操作ワイヤの他端部との間に操作ワイヤの引張方向を反転させる案内車が設けられることが好ましい。
【００１３】
また、本発明に係るピット梯子装置において、ピット梯子は、上端部が乗場敷居に対し上下方向に移動可能であることが好ましい。
【００１４】
また、本発明に係るピット梯子装置において、ピット梯子の姿勢を固定状態にする梯子姿勢固定部を備え、梯子姿勢固定部は、ピット梯子を吊り下げ姿勢で固定する第一固定部と、ピット梯子が踏段角度に傾斜するときに、ピット梯子の上端部が下方に移動してピット梯子の下端部がピットの床面に着く踏段傾斜姿勢で固定する第二固定部とを有することが好ましい。
【００１５】
また、本発明に係るピット梯子装置において、ピット梯子の位置に対し、ピット梯子が踏段角度に傾斜する側と反対側となる位置にストッパが設けられることが好ましい。
【００１６】
また、本発明に係るピット梯子装置において、乗場敷居の側面に複数枚配置され、少なくとも一枚はスライド可能なトーガードを備えることが好ましい。
【発明の効果】
【００１７】
上記構成により、ピット梯子装置は、ピットに張り出している乗場敷居の下側に上端部が吊り下げられるピット梯子と、傾斜支点を上端部に有するピット梯子を吊り下げ姿勢から踏段角度に傾斜させる梯子傾斜部を操作する操作部とを備えるため、保守作業員は、操作部を操作することで、安全にピット梯子を設置することができる。
【００１８】
また、ピット梯子の下端部に取り付けられる操作ワイヤの一端部である操作部を引っ張ることで、保守作業員は安全にピット梯子を設置することができる。
【００１９】
また、操作ワイヤの操作部は、乗場敷居の敷居溝の異物排除孔より操作治具を挿入して操作可能な位置に保持されることで、保守作業員は、乗場敷居から身を乗り出すことなく操作治具を敷居溝の異物排除孔に挿入して操作ワイヤの操作部を操作できる。
【００２０】
また、ピット梯子が吊り下げ姿勢に維持されるときを下げ位置とし、ピット梯子が踏段角度に傾斜した踏段傾斜姿勢に維持されるときを上げ位置として操作ワイヤの操作部は保持されるため、操作ワイヤの操作部の上げ位置または下げ位置のいずれかによってピット梯子の姿勢を維持できる。
【００２１】
また、操作部と操作ワイヤの他端部との間に操作ワイヤの引張方向を反転させる案内車を有することで、操作部を上方向に上げると、他端部がピット梯子の踏段角度に傾斜される方向に引っ張られ、操作部を下方向に下げると、他端部がピット梯子の吊り下げられる方向に引っ張られる。よって、保守作業員は容易に吊り下げ姿勢と踏段角度傾斜姿勢との間の姿勢変更ができる。
【００２２】
また、ピット梯子の上端部が乗場敷居に対し上下に移動可能であるため、ピット梯子が吊り下げ姿勢と踏段傾斜姿勢との間の姿勢変更のときはピット梯子の下端をピット床面より浮かせ、踏段傾斜姿勢のときにピット梯子の下端をピット床面に着けて安定させることができる。
【００２３】
また、ピット梯子装置は、梯子姿勢固定部によってピット梯子を吊り下げ姿勢または踏段傾斜姿勢で固定することができるため、安全である。
【００２４】
また、ピット梯子の位置に対し、ピット梯子が踏段角度に傾斜する側と反対側となる位置にストッパが設けられるので、ピット梯子を踏段傾斜姿勢から吊り下げ姿勢に戻すときにピット梯子がピットの壁面にまで戻り過ぎない。
【００２５】
また、トーガードは複数枚配置され、少なくとも一枚はスライド可能であるため、ピット梯子の傾斜を妨げないようにピット梯子の吊り下げ姿勢と踏段角度傾斜姿勢との間の姿勢変更を行うことができる。
【図面の簡単な説明】
【００２６】
【図１】本発明に係る実施の形態のピット梯子装置を備えるエレベータシステム１０の概略構成図である。
【図２】本発明に係る実施の形態において、梯子姿勢固定部及びストッパの側面図である。
【図３】本発明に係る実施の形態において、梯子姿勢固定部及びストッパの背面図である。
【図４】本発明に係る実施の形態において、トーガードを示す平面図である。
【図５】本発明に係る実施の形態において、ピット梯子を踏段傾斜姿勢に変更させるためトーガードの一枚をスライドさせる平面図である。
【図６】本発明に係る実施の形態において、第一固定部を示す図である。
【図７】本発明に係る実施の形態において、固定用治具にて固定用ワイヤの一端部を上げる様子を示す図である。
【図８】本発明に係る実施の形態において、固定用治具にて固定用ワイヤの一端部を上げた状態で、引上治具にて引上部を上げる様子を示す図である。
【図９】本発明に係る実施の形態において、引上治具にて引上部を上げた状態で操作治具にて操作ワイヤの操作部を上げる様子を示す図である。
【図１０】本発明に係る実施の形態において、ピット梯子装置の踏段傾斜姿勢を示す図である。
【発明を実施するための形態】
【００２７】
以下に図面を用いて本発明に係る実施の形態につき、詳細に説明する。また、以下で説明する寸法、物体の形状等は、例示の一例であって、具体的な形状、数値などはエレベータシステムの用途、目的、仕様に応じて適宜変更することができる。以下では、全ての図面において同様の要素には同一の符号を付し、重複する説明を省略する。また、本文中の説明においては、必要に応じそれ以前に述べた符号を用いるものとする。
【００２８】
図１は、ピット梯子装置３０を備えるエレベータシステム１０の概略構成図である。エレベータシステム１０は、建物内に上下に貫通する昇降路１４を設け、昇降路１４内に図示されない乗りかごを昇降させ、利用者等の指示に応じて、乗場敷居１６を有する各乗場階において利用者等を乗降させるシステムである。また、ピット梯子装置３０は、昇降路１４内の最下部であるピット１８に設けられる。なお、図１にはＸＹＺ方向を併記しており、Ｘ方向は乗場階から昇降路１４へ向かう方向を示し、Ｙ方向は乗場階から昇降路１４を見て右から左へ向かう方向を示し、Ｚ方向は乗りかごが昇降路１４内を下から上へ向かう方向を示す。
【００２９】
図１には、建物内の乗場階として最下階１２を示した。乗場階は、建物内の各階に設けられるエレベータホールであって、その階に乗りかごを呼ぶための図示されない呼び釦を有する。
【００３０】
昇降路１４は、建物内を最下階１２から最上階まで貫通し乗りかごが昇降する空間である。図示されない乗りかごは、その内部空間内に利用者等を乗せることができる移動かごであり、乗りかごの出入口にはかご扉を有し、利用者等が希望する目的階を指定できる行先登録操作盤を有する。
【００３１】
乗場敷居１６は、乗場階出入口の床に間口方向であるＹ方向に沿って配置され、敷居溝２４を有する。敷居溝２４は、乗場敷居１６の上面に図示されないかご扉の下端部が挿入される案内溝である。また、異物排除孔３８は、敷居溝２４の異物を敷居外へ排出する孔である。異物排除孔３８は、例えばＹ方向に１０ｃｍ、Ｘ方向に１ｃｍの孔とでき、敷居溝２４に複数個所設けることができる。
【００３２】
ピット１８は、昇降路１４内の最下部に位置し、最下階１２の床面から−Ｚ方向に１３５ｃｍから１５０ｃｍ程度の深さを有する空間である。なお、深さの値は、エレベータシステム１０の仕様に応じて異なる。保守作業員は、ピット１８にて保守作業することができ、ピット１８には保守作業のためにエレベータシステム１０を制御することができる図示されない保守用制御装置が設置される。
【００３３】
ピット床面１９であって乗りかごを受ける位置に緩衝器が設置される。緩衝器は、何らかの原因で乗りかごが最下階１２を通過し、通過後も乗りかごの下降が継続されるときに、乗りかごの下降を停止させる機能を有する。
【００３４】
トーガード９０は、昇降路１４内において乗場敷居１６の上下方向に沿って配置される。トーガード９０の上端部は乗場敷居１６の側面に取り付けられ、トーガード９０の下端部は−Ｘ方向に曲げられる。トーガード９０は、仮に乗りかごが中間階で停止した場合に利用者等の安全を確保するために設けられる。トーガード９０の詳細については後述する。
【００３５】
ピット梯子装置３０は、吊下部３２と、ピット梯子３４と、梯子傾斜部３６と、操作部４２と、保持部５０と、案内車４６と、梯子姿勢固定部６０と、ストッパ８０とを含んで構成される。ピット梯子装置３０は、最下階１２の乗場敷居１６から保守作業員がピット１８に下りるときに用いられる。
【００３６】
吊下部３２は、最下階１２の乗場敷居１６の下側に設けられる。吊下部３２は、ピット梯子３４の上端部を吊り下げる部材で、Ｚ方向に縦長の案内孔を有する。
【００３７】
ピット梯子３４は、保守作業員がピット１８に降りるときに用いられる梯子である。ピット梯子３４は例えば鉄、アルミニウム合金等の金属製とできるが、保守作業員が昇降できる強度を有すれば金属以外の材質であってもよい。ピット梯子３４の上端部側面には、案内棒３３と、後述する引上部４８とを有する。また、ピット梯子３４の下端部には後述する梯子姿勢固定部６０の棒体６４を挿入させるための固定孔３５を有する。
【００３８】
案内棒３３は、ピット梯子３４の上端部の両側面に突出して設けられる部材である。吊下部３２の縦長の案内孔に案内棒３３が案内され、ピット梯子３４の吊り下げ姿勢と踏段傾斜姿勢との間の姿勢変更ができる。なお、吊下部３２に案内棒を設け、ピット梯子３４の上端部に縦長の案内孔を設けるものとしてもよい。
【００３９】
梯子傾斜部３６は、最下階１２にいる保守作業員の操作部４２の操作によって、ピット梯子３４の吊り下げ姿勢と踏段角度傾斜姿勢との間の姿勢変更するもので、ここでは操作ワイヤ４０である。
【００４０】
操作ワイヤ４０は、ステンレス鋼製の細線を拠り合わせた金属線である。操作ワイヤ４０は、一端部が操作部４２で、他端部４４がピット梯子３４の下端部に取り付けられる。操作部４２の操作によってピット梯子３４を吊り下げ姿勢と踏段角度傾斜姿勢との間で姿勢が変更される。
【００４１】
操作部４２は、敷居溝２４の異物排除孔３８から操作可能な位置に配置される。異物排除孔３８が複数有る場合には、どの異物排除孔３８を使用してもよい。操作部４２は、保守作業員以外の者が安易に操作できない位置に配置されることが好ましい。操作部４２は、後述する所定の操作治具１０２で係止できる形状を有する。操作部４２は、操作ワイヤ４０の移動を操作することで、梯子傾斜部３６の機能であるピット梯子３４の姿勢を変更させる。
【００４２】
なお、梯子傾斜部３６を電気的アクチュエータとし、その操作を電気的な制御装置にて行う場合には、操作部４２は、例えば最下階１２の呼び釦付近の保守作業用のエレベータシステム制御盤に設けられるピット梯子装置３０の制御釦とし、制御釦を押すことでピット梯子３４の姿勢変更をする電気信号を梯子傾斜部３６に送る。
【００４３】
案内車４６は、操作ワイヤ４０を引っ張り、または引き戻すときの案内となる溝を有する回転円板である。案内車４６は、操作ワイヤ４０の一端部である操作部４２とピット梯子３４の下端部に取りつけられる他端部４４との間であって、操作ワイヤ４０の方向を変えることができるピット床面１９の適切な位置に設置される。操作部４２をＺ方向に引っ張ると、案内車４６までは−Ｘ方向に操作ワイヤ４０が案内されるが、案内車４６において引張方向はＸ方向に変更される。このように案内車４６は操作ワイヤ４０の引張方向を反転させる機能を有する。
【００４４】
ピット梯子３４の上端部に設けられる引上部４８は、後述する所定の引上治具１０４を係止するための穴である。操作ワイヤ４０の操作部４２の操作でピット梯子３４を姿勢変更させる場合に、姿勢変更開始時に引上治具１０４で引上部４８に係止させ、引上治具１０４を上方に引き上げることで、ピット梯子３４が上方に引き上げられる。これにより操作ワイヤ４０の操作でピット梯子３４を容易に傾斜させることができる。
【００４５】
保持部５０は、昇降路１４の壁面に取り付けられ、操作ワイヤ４０の操作部４２を保持する。また、保持部５０は、ピット梯子３４が吊り下げ姿勢に維持されるときを下げ位置として操作部４２を保持する第一保持部５２と、ピット梯子３４が踏段角度に傾斜した踏段傾斜姿勢に維持されるときを上げ位置として操作部４２を保持する第二保持部５４とを有する。第一保持部５２は、操作部４２が下位置へ行き過ぎないように、保持される操作部４２の外径より内径の小さいリング状の保持部５０とする。第二保持部５４は、操作部４２が下位置へ行き過ぎず、かつ保守作業員が操作治具１０２で第二保持部５４に操作部４２を係止できるフック形状とするが、操作部４２を係止できればその形状は問わない。
【００４６】
梯子姿勢固定部６０は、第一固定部６０ａと、第二固定部６０ｂとを含み、ピット梯子３４の姿勢を固定する機能を有する。図２，図３は、梯子固定部６０を示す図で、図２はＸＺ側面図、図３はＹＺ背面図である。
【００４７】
第一固定部６０ａは、固定用ワイヤ６２と、棒体６４と、スプリング６６と、箱体６８と、固定台７０と、返し車７２とを有する。
【００４８】
固定用ワイヤ６２は、金属線とすることができるが、上下方向に引っ張ることのできる強度を有すれば金属以外の材質であってもよい。固定ワイヤ６２の一端部６３は、操作ワイヤ４０の一端部と同様に敷居溝２４の異物排除孔３８から操作可能な位置に配置され、他端部は棒体６４に接続される。固定用ワイヤ６２の一端部６３は、後述する所定の固定用治具１０６を用いて上下方向に操作できる。
【００４９】
固定台７０は、ピット床面１９に固定させるベースである。箱体６８は、固定台７０に固定して設置され、棒体６４とスプリング６６とを収容するケース体である。
【００５０】
棒体６４は、一端部は大径部の円板で、他端部が円柱状の丸棒の形状を有する部材である。一端部は、固定用ワイヤ６２の他端部に接続される。他端部の丸棒の先端は、箱体６８のＸ方向側壁に設けられた孔から箱体６８の外側に突き出す。突き出した先端は、ピット梯子３４が吊り下げ状態にあるときに、ピット梯子３４の下端部に設けられる固定孔３５に挿入される。
【００５１】
スプリング６６は、棒体６４の一端部の大径部円板と箱体６８の−Ｘ方向の側壁との間に配置され、棒体６４をＸ方向へ付勢する機能を有する。返し車７２は、固定用ワイヤ６２の引張方向を変更させる機能を有する。
【００５２】
固定用ワイヤ６２の一端部６３が保守作業により操作されないときは、ピット梯子３４は吊り下げ姿勢である。このとき、ピット梯子３４の固定孔３５に棒体６４の先端部が挿入されているので、ピット梯子３４は、吊り下げ姿勢で固定される。
【００５３】
棒体６４は、ピット梯子３４の固定孔３５に挿入することで、ピット梯子３４が±Ｙ方向に揺れるのを防ぐ。箱体６８は、ピット梯子３４が−Ｘ方向に揺れるのを防ぐ。固定台７０は、ピット梯子３４がＸ方向に揺れるのを防ぐ。このように第一固定部６０ａは、ピット梯子３４を吊り下げ姿勢で固定する機能を有する。固定用治具１０６を用いて固定用ワイヤ６２の一端部６３を引っ張ることで、固定用ワイヤ６２に接続されている棒体６４がスプリング６６の縮みと同時に-Ｘ方向に引っ張られ、ピット梯子３４の固定孔３５から棒体６４が抜け固定を解除することができる。固定用ワイヤ６２の一端部６３は引上部４８と同様に単なる引っ掛け棒としてもよい。
【００５４】
第二固定部６０ｂは、ピット梯子３４が踏段角度に傾斜したときにその姿勢でピット梯子３４の下端部を固定する機能を有する。第二固定部６０ｂは、ピット梯子３４が踏段傾斜姿勢で固定されうるものであればよく、特に限定はされない。場合によっては、案内車４６を第二固定部６０ｂとして兼用することができる。また、第二固定部６０ｂは、ピット梯子３４が緩衝器に接触するのを防ぐ。
【００５５】
なお、梯子姿勢固定部６０を電気的なラッチ装置としてもよい。この場合には、ピット梯子３４の姿勢を固定させることと解除することとに関する制御を電気的な制御手段によって行うことができる。
【００５６】
ストッパ８０は、ピット梯子３４が吊り下げ状態のときにピット梯子３４の−Ｘ方向の面に対向するように配置される板材である。ストッパ８０は、図２に示されるように、金属製のボルト８２等でピット床面１９に固定される。また、図３に示されるように、ストッパ８０は、ピット梯子３４のＹ方向の左右両側に設けられる。ストッパ８０は、第二固定部６０ｂの固定状態が解除されてピット梯子３４が吊り下げ状態に戻るときに、ピット梯子３４がピット１８の壁面に戻り過ぎないように機能する。ストッパ８０の材質は、ピット梯子３４に接触しても破損しない程度の強度を有する材質であればよく、特に限定はされない。
【００５７】
図１に戻り、トーガード９０は、乗場敷居１６にＹ方向に沿って複数枚吊り下げられる板材である。図１におけるＡ線からトーガード９０を見た上面図を図４に示す。トーガード９０は、留め部９２と、支点部９４と、可動部９６と、接続ワイヤ９８と、ばね９９とを有する。ここで、ピット梯子３４の設置の妨げとならないように、トーガード９０の複数枚のうちの一枚のトーガード９０ｂが、乗場敷居１６の側面に設けられるレールの上をスライドして移動できる。
【００５８】
留め部９２は、スライド可能なトーガード９０ｂのピット梯子３４が設置されている側に取り付けられる固定部材である。支点部９４は、スライドしないトーガード９０ｃに設けられる固定部材である。可動部９６は、所定のスライド用治具１０８で引っ張り上げることのできる係止部材である。接続ワイヤ９８は、一端部が留め部９２に固定され、支点部９４を通り、他端部が可動部９６に接続される。ばね９９は、留め部９２と支点部９４との間にある弾性を有するばねであり、ばね９９の復元力を利用して、可動部９６を下げるとスライドされたトーガード９０を再び元の位置にスライドさせる機能を有する。
【００５９】
なお、トーガード９０ｂを電気的アクチュエータで駆動するものとしてもよい。その場合には、トーガード９０ｂのスライドに関する電気信号をアクチュエータに送信する。
【００６０】
次に、ピット梯子装置３０を使用するときの手順を説明する。エレベータシステム１０には、乗場敷居１６にトーガード９０が取り付けられており、ピット梯子３４の踏段角度に傾斜させる場合にトーガード９０が傾斜の妨げとなる。そこで、保守作業員は、ピット梯子３４を踏段角度に傾斜させるための前準備として、ピット梯子３４の傾斜する側に取り付けられているトーガード９０ｂを−Ｙ方向にスライドさせる。
【００６１】
図５は、図４に対応する図でトーガード９０の一部を−Ｙ方向にスライドさせる様子を示す上面図である。まず、保守作業員は、後述する所定のスライド用治具１０８を可動部９６に掛かり止めし、＋Ｚ方向に引っ張り上げる。すると、可動部９６に接続される接続ワイヤ９８はトーガード９０ｃに固定されている支点部９４で−Ｙ方向に引っ張り方向が転換され、トーガード９０ｂに固定されている留め部９２がばね９９を縮ませながら−Ｙ方向に引っ張られる。図５には、トーガード９０ｂのピット梯子３４側の端がピット梯子３４の傾斜の妨げとならないように、トーガード９０ａ，９０ｃ間を開口させた状態が示される。引っ張り上げた可動部９６は、可動部９６の上方であってトーガード９０ｃの上方側の図示されない掛止部に掛かり止めさせる。図５の状態にさせた後、ピット梯子３４を姿勢変更させる作業を行う。
【００６２】
ピット梯子３４を姿勢変更させる様子を図６から図１０を用いて説明する。初期状態は、図６（ａ）に示されように、梯子姿勢固定部６０の第一固定部６０ａにピット梯子３４が固定されている状態である。次にこの固定状態を解除するため固定用ワイヤ６２を引き上げることを行う。
【００６３】
図７は、固定用治具１０６にて固定用ワイヤ６２の一端部６３を引き上げる様子を示す図である。図７において、固定用治具１０６を敷居溝２４の異物排除孔３８に挿入し固定用ワイヤ６２の一端部６３を＋Ｚ方向に引き上げる。これにより、図６（ｂ）に示されるように固定台７０に取り付けられた返し車７２によって固定用ワイヤ６２の引張方向が−Ｘ方向に変更され、スプリング６６が縮み、スプリング６６の先端に接続されピット梯子３４の固定孔３５に挿入されていた棒体６４が箱体６８の中に退避する。このようにして、ピット梯子３４の固定が解除される。
【００６４】
図８は、固定用治具１０６にて固定用ワイヤ６２の一端部６３を引き上げた状態で、引上用治具１０４にて引上部４８を引き上げる様子を示す図である。固定用治具１０６にて固定用ワイヤ６２の一端部６３を＋Ｚ方向に引き上げたままで、引上治具１０４を敷居溝２４の異物排除孔３８に挿入し引上部４８を＋Ｚ方向へ引き上げる。すると、図６（ｃ）に示されるように第一固定部６０ａからピット梯子３４が吊下部３２の縦長の案内孔の長さ以内の範囲で＋Ｚ方向へ上がり、姿勢変更が可能となる。姿勢変更が可能となれば、固定用ワイヤ６２の一端部６３から固定用治具１０６を外す。すると、図６（ｄ）に示されるようにスプリング６６が伸び、スプリング６６の先端に接続された棒体６４が固定台７０の孔に挿入される。
【００６５】
図９は、引上字具１０４にて引上部４８を引き上げた状態で、操作治具１０２にて操作ワイヤ４０の操作部４２を引き上げる様子を示す図である。引上治具１０４を敷居溝２４の異物排除孔３８に挿入し引上部４８を＋Ｚ方向に引き上げたままで、操作治具１０２で操作ワイヤ４０の操作部４２を＋Ｚ方向に引き上げる。ピット梯子３４がスムーズに傾斜され始めたら引上部４８を引き上げるのを止め、操作ワイヤ４０の操作部４２の引き上げを継続し、操作ワイヤ４０の操作部４２を第二保持部５４に係止することで、ピット梯子３４が踏段傾斜姿勢となる。
【００６６】
なお、操作治具１０２、引上治具１０４、固定用治具１０６、およびスライド用治具１０８は同じものとできる。これらの治具は金属製の棒片とすることができる。これらの治具の一端側の先端が操作ワイヤ４０の操作部４２、引上部４８、固定用ワイヤ６２の一端部６３、および可動部９６を係止できれば、その形状は問わない。例えば操作ワイヤ４０の操作部４２がリング形状である場合、操作治具１０２の一端側の先端をフック形状とできる。
【００６７】
図１０には、ピット梯子３４が踏段傾斜姿勢となる様子が示される。ピット梯子３４が踏段傾斜姿勢に設置されたときは、ピット梯子３４が踏段傾斜姿勢で固定されるよう、ピット梯子３４の下端が第二固定部６０ｂに接触する。第二固定部６０ｂは、ピット梯子３４とピット床面との間の踏段傾斜角度Ｒが７５°を有することが好ましく、これより緩やかで保守作業員が昇降しやすい角度であってもよい。
【００６８】
図１，図１０に示されるように、操作ワイヤ４０の引っ張り長さｈ３は、操作ワイヤ４０の他端部４４から案内車４６までの長さが図１におけるｈ１から図１０におけるｈ２になるまで、引っ張ることがよく、おおよその長さをｈ３＝ｈ１−ｈ２と表すことができる。よって、第一保持部５２と第二保持部５４との間隔もｈ３とすることが好ましい。上記のように、保守作業員はピット梯子３４を安全に踏段傾斜姿勢である設置状態とでき、保守作業員はピット床面１９に安全に降り立つことができる。
【００６９】
次に、保守作業員がピット梯子３４を収納するときは、上記の作業の逆の作業を行う。まず、保守作業員は最下階１２に戻り、図９に示されるように引上治具１０４を異物排除孔３８に挿入して引上部４８に係止させ＋Ｚ方向に引き上げた状態で、操作治具１０２を異物排除孔３８に挿入して操作部４２に係止し、第二保持部５４から操作部４２を外す。すると、操作部４２は、ピット梯子３４の自重によってピット梯子３４の下端部に取り付けられた操作ワイヤ４０の他端部４４が−Ｘ方向に引き戻され、操作ワイヤ４０が引っ張られる方向は、案内車４６によって＋Ｘ方向、−Ｚ方向とその引張方向を変え、引き戻された先の操作ワイヤ４０の操作部４２を第一保持部５２に保持させる。保持させた後は、操作治具１０２を操作ワイヤ４０の操作部４２から外す。
【００７０】
ここで、この操作ワイヤ４０の動きに伴って、ピット梯子３４は第一固定部６０ａの上位置まで戻される。このとき、ピット梯子３４が第一固定部６０ａの上位置を通過することが有る場合には、ストッパ８０によって第一固定部６０ａの上位置で留まるようにピット梯子３４の移動を規制する。
【００７１】
次に、図８に示されるように、引上治具１０４を引上部４８に係止させて＋Ｚ方向に引き上げた状態で、再び固定用治具１０６にて第一固定部６０ａの固定用ワイヤ６２の一端部６３を＋Ｚ方向に引き上げる。すると、図６（ｃ）に示されるように、ピット梯子３４が第一固定部６０ａの上位置に吊り下げられたまま、棒体６４が箱体６８に退避した状態となる。この状態で引上治具１０４にて引上部４８を−Ｚ方向へ下げ第一固定部６０ａの位置まで下ろし引上治具１０４を引上部４８から外す。次に、図７に示されるように、第一固定部６０ａの固定用ワイヤ６２の一端部６３を固定用治具１０６にて−Ｚ方向に下げると、図６（ａ）に示されるように、ばね６６の復元力によって棒体６４がピット梯子３４の下端部の固定孔３５に挿入され、ピット梯子３４が固定される。これによってピット梯子３４は図１に示される吊り下げ姿勢である収納状態となる。
【００７２】
踏段傾斜姿勢から元の吊り下げ姿勢に姿勢変更させた後は、トーガード９０ｂを元の状態に戻す作業をする。まず、図示されない掛止部に掛かり止めされた可動部９６をスライド用治具１０８に掛かり止めさせ、掛止部から外す。これにより、留め部９２と支点部９４との間にある縮んだばね９９の復元力によって、トーガード９０ｂは元の状態に戻される。
【００７３】
以上のように、ピット梯子装置３０は、保守作業員がピット１８の空間へ身を乗り出すことなく、安全にピット梯子３４を設置することができる。
【産業上の利用可能性】
【００７４】
本発明に係るピット梯子装置は、ピットに設けられるピット梯子に関する。
【符号の説明】
【００７５】
１０  エレベータシステム、１２  最下階、１４  昇降路、１６  乗場敷居、１８  ピット、１９  ピット床面、２４  敷居溝、３０ピット梯子装置、３２  吊下部、３４  ピット梯子、３５  固定孔、３６  梯子傾斜部  ３８  異物排除孔、４０  操作ワイヤ、４２  操作部、４４  他端部、４６  案内車、４８  引上部、５０  保持部、５２  第一保持部、５４  第二保持部、６０  梯子姿勢固定部、６０ａ  第一固定部、６０ｂ  第二固定部、６２  固定用ワイヤ、６３  固定用ワイヤ６２の一端部、６４  棒体、６６  スプリング、６８  箱体、７０  固定台、７２  返し車、８０  ストッパ、８２  ボルト、９０，９０ａ，９０ｂ，９０ｃ  トーガード、９２  留め部、９４  支点部、９６  可動部、９８  接続ワイヤ、９９  ばね、１０２  操作治具、１０４  引上治具、１０６  固定用治具、１０８  スライド用治具。
【図１】
2014034431.tif 000003
【図２】
2014034431.tif 000004
【図３】
2014034431.tif 000005
【図４】
2014034431.tif 000006
【図５】
2014034431.tif 000007
【図６】
2014034431.tif 000008
【図７】
2014034431.tif 000009
【図８】
2014034431.tif 000010
【図９】
2014034431.tif 000011
【図１０】
2014034431.tif 000012